(57)【要約】【課題】デジタルカメラとリモコン装置間の画像通信を適切に制御する。【解決手段】デジタルカメラ５１は、被写体像を撮像し、画像データを出力する撮像素子１２と、撮像素子１２から出力された画像データを、外部装置１と通信する通信部１９から送信させる制御部７と、通信部１９から送信される画像データのデータ量を変更するデータ量変更部７と、を備え、データ量変更部７は、カメラ５１の状態に応じて送信される画像データのデータ量を変更する。【選択図】図３
2015106851.tif 000002
【特許請求の範囲】
【請求項１】
被写体像を撮像し、画像データを出力する撮像素子と、
前記撮像素子から出力された画像データを、外部装置と通信する通信部から送信させる制御部と、
前記通信部から送信される画像データのデータ量を変更するデータ量変更部と、
を備え、
前記データ量変更部は、カメラの状態に応じて前記送信される画像データのデータ量を変更することを特徴とするデジタルカメラ。
【請求項２】
請求項１に記載のデジタルカメラにおいて、
撮像光学系が合焦状態か否かを判定するフォーカス判定部を備え、
前記データ量変更部は、前記フォーカス判定部により非合焦状態が判定されている場合の前記画像データのデータ量を、合焦状態が判定されている場合の前記画像データのデータ量より少なくすることを特徴とするデジタルカメラ。
【請求項３】
請求項１または２に記載のデジタルカメラにおいて、
カメラの揺動の有無を検出する揺動検出部を備え、
前記データ量変更部は、前記揺動検出部により揺動が検出されている場合の前記画像データのデータ量を、前記揺動が検出されていない場合の前記画像データのデータ量より少なくすることを特徴とするデジタルカメラ。
【請求項４】
請求項１〜３のいずれか一項に記載のデジタルカメラにおいて、
前記データ量変更部は、所定値より高速のシャッター速度が設定されている場合の前記画像データのデータ量を、前記所定値より低速のシャッター速度が設定されている場合の前記画像データのデータ量より少なくすることを特徴とするデジタルカメラ。
【請求項５】
請求項１〜４のいずれか一項に記載のデジタルカメラにおいて、
前記データ量変更部は、前記画像データのデータ量を画面において一様に変更することを特徴とするデジタルカメラ。
【請求項６】
請求項１〜４のいずれか一項に記載のデジタルカメラにおいて、
前記データ量変更部は、前記画像データに基づく画像の一部を切り出した第１画像と、前記画像データに基づく画像の全部を縮小した第２画像とに分けることにより、前記送信する画像データのデータ量を変更することを特徴とするデジタルカメラ。
【請求項７】
請求項１〜４のいずれか一項に記載のデジタルカメラにおいて、
前記データ量変更部は、前記画像データに基づく画像の一部の領域より他の領域を粗くすることにより、前記送信する画像データのデータ量を変更することを特徴とするデジタルカメラ。
【発明の詳細な説明】
【技術分野】
【０００１】
本発明は、デジタルカメラに関する。
【背景技術】
【０００２】
ネットワークのトラフィックが混んでいる場合に、動画の解像度を低下させる動画通信システムが知られている（特許文献１参照）。解像度の低下によって単位時間当たりのデータ量を減少させ、フレームレートの低下を避けている。
【先行技術文献】
【特許文献】
【０００３】
【特許文献１】特開平７−７５０９２号公報
【発明の概要】
【発明が解決しようとする課題】
【０００４】
カメラをリモコン制御する場合のカメラとリモコン装置との間の通信では、カメラによって所定の間隔で取得される画像がリモコン装置へ送信される。発明者は、このような使用場面において、解像度よりフレームレートを優先させたい場合や、フレームレートより解像度を優先させたい場合がある点に着目し、使用場面に応じた通信が必要と考えた。
【課題を解決するための手段】
【０００５】
本発明によるデジタルカメラは、被写体像を撮像し、画像データを出力する撮像素子と、撮像素子から出力された画像データを、外部装置と通信する通信部から送信させる制御部と、通信部から送信される画像データのデータ量を変更するデータ量変更部と、を備え、データ量変更部は、カメラの状態に応じて送信される画像データのデータ量を変更することを特徴とする。
【発明の効果】
【０００６】
本発明によれば、デジタルカメラとリモコン装置間の画像通信を適切に制御できる。
【図面の簡単な説明】
【０００７】
【図１】本発明の第一の実施形態によるデジタルカメラをリモコン装置で操作する撮影場面を説明する図である。
【図２】ライブビュー画像およびレリーズアイコンを表示するリモコン装置を例示する図である。
【図３】デジタルカメラの構成例を説明するブロック図である。
【図４】処理の流れを説明するフローチャートである。
【図５】デジタルカメラとリモコン装置との間の通信状態を例示する図である。
【図６】ライブビュー画像およびレリーズアイコンを表示するリモコン装置を例示する図である。
【図７】第二の実施形態における処理の流れを説明するフローチャートである。
【図８】図８(a)は通常サイズのライブビュー画像から切り出された画像である。図８(b)は通常サイズのライブビュー画像から略１／１６のデータ数にリサイズ処理された画像である。
【発明を実施するための形態】
【０００８】
以下、図面を参照して本発明を実施するための形態について説明する。
（第一の実施形態）
＜使用場面の説明＞
図１は、本発明の第一の実施形態によるデジタルカメラ５１を、リモコン装置１で操作する撮影場面を説明する図である。図１において、三脚５２にセットされているデジタルカメラ５１によってユーザーを撮影する。デジタルカメラ５１は、ズームレンズを備え、無線ＬＡＮユニットを搭載する。デジタルカメラ５１は、撮影動作の開始指示（すなわちレリーズ指示）やズーム倍率の変更、その他シャッター速度や絞り値、露出補正などの撮影条件を変更するカメラ設定が、リモコン装置１から無線ＬＡＮユニットを介して制御される。なお、無線ＬＡＮユニットは、デジタルカメラ５１の筐体内に搭載する代わりに、デジタルカメラ５１の筐体外部のアクセサリ端子などに装着させてもよい。
【０００９】
リモコン装置１は、例えば、スマートフォンと呼ばれる高機能携帯電話機によって構成されており、無線ＬＡＮユニットを含む。高機能携帯電話機は、オペレーションシステム（ＯＳ）と呼ばれる基本プログラムを実行した上で、カメラのリモート操作用のアプリケーションプログラム（以下、カメラ用リモート操作プログラムと呼ぶ）を実行することにより、リモコン装置１として動作する。
【００１０】
リモコン装置１は、デジタルカメラ５１との間で無線ＬＡＮを介してＰＴＰ(Picture Transfer Protocol)接続を行い、ＰＴＰ接続中のデジタルカメラ５１へ制御信号を送信する。
【００１１】
また、リモコン装置１は、ＰＴＰ接続中のデジタルカメラ５１からのデータや画像（デジタルカメラ５１がレリーズ指示前に取得したモニタ用画像（ライブビュー画像と呼ぶ）、およびレリーズ指示に応じてデジタルカメラ５１が取得した撮影画像）のデータを受信する。リモコン装置１は、無線ＬＡＮを介して受信したライブビュー画像データや撮影画像データに基づく画像などを、表示・入力部２に表示する。
【００１２】
図２は、ライブビュー画像およびレリーズアイコン２５を表示・入力部２に表示するリモコン装置１を例示する図である。図２において、リモコン装置１はデジタルカメラ５１とＰＴＰ接続されており、デジタルカメラ５１で取得されたライブビュー画像データをデジタルカメラ５１から受信して、ライブビュー画像データに基づくライブビュー画像を表示・入力部２に表示する。
【００１３】
表示・入力部２には、ライブビュー画像に重ねてレリーズアイコン２５が表示されている。リモコン装置１は、表示・入力部２に表示されるレリーズアイコン２５がタップ操作されると、ＰＴＰ接続中のデジタルカメラ５１へ撮影要求信号を送信する。これにより、ＰＴＰ接続中のデジタルカメラ５１が撮影処理を行う。マーク２７は、フォーカス調節の対象とするエリアを示す。
【００１４】
＜デジタルカメラの説明＞
図３は、デジタルカメラ５１の構成例を説明するブロック図である。図３において、デジタルカメラ５１は、撮像光学系１１と、撮像素子１２と、画像データ受信部１３と、画像処理回路１４と、ＬＣＤモニタ１５と、ＲＡＭ１６と、フラッシュメモリ１７と、ＣＰＵ１８と、通信制御回路１９と、操作部材２０と、加速度センサ２１とを備える。
【００１５】
画像処理回路１４、ＬＣＤモニタ１５、通信制御回路１９、ＲＡＭ１６、フラッシュメモリ１７、およびＣＰＵ１８は、それぞれバス２２を介して接続されている。
【００１６】
撮像光学系１１は、ズームレンズやフォーカシングレンズを含む複数のレンズ群で構成され、被写体像を撮像素子１２の撮像面に結像させる。なお、図３を簡単にするため、撮像光学系１１を単レンズとして図示している。撮像素子１２は、ＣＭＯＳイメージセンサなどで構成され、撮像面上の被写体像を撮像する。撮像素子１２からは、明るさに応じた光電変換信号（画像データ）が画素ごとに読み出される。
【００１７】
画像データ受信部１３は、撮像素子１２から読み出された画像データを受信し、画像処理回路１４へ送る。画像処理回路１４は、画像データに対して各種の画像処理（色補間処理、階調変換処理、輪郭強調処理、ホワイトバランス調整処理など）を施す。
【００１８】
ＬＣＤモニタ１５は液晶パネルによって構成され、ＣＰＵ１８からの指示に応じて画像や操作メニュー画面などを表示する。ＲＡＭ１６はＣＰＵ１８のワークメモリとして使用される。また、ＲＡＭ１６は、画像処理回路１４による画像処理工程における画像データを一時的に記憶する。フラッシュメモリ１７は、ＣＰＵ１８が実行するプログラムを記憶する。
【００１９】
ＣＰＵ１８は、フラッシュメモリ１７が記憶するプログラムを実行することにより、デジタルカメラ５１の動作を制御する。ＣＰＵ１８は、ＡＦ（オートフォーカス）動作制御や、自動露出（ＡＥ）演算も行う。ＡＦ動作は、例えば、画像のコントラスト情報に基づいてフォーカシングレンズ（不図示）の合焦位置を求めるコントラスト検出方式を用いる。ＣＰＵ１８は、上述したライブビュー画像に基づいて逐次コントラスト情報を取得し、フォーカス調節の対象とされている領域のコントラストが高まるようにフォーカス調節を行う。露出（ＡＥ）演算は、例えば、フォーカス調節の対象とされている領域の画像信号に基づいて演算を行う。
【００２０】
操作部材２０は、メインスイッチ、レリーズボタンおよびメニュースイッチなどを含む。操作部材２０は、メインスイッチ操作やレリーズ操作、メニュー選択操作、シャッター速度の変更操作など、各操作に応じた操作信号をＣＰＵ１８へ送出する。ＣＰＵ１８は、操作部材２０からの操作信号の入力を監視する。加速度センサ２１は、加速度検出信号をＣＰＵ１８へ送出する。ＣＰＵ１８は、加速度検出信号に基づいてデジタルカメラ５１の揺動の有無、すなわち静止状態にあるか否かを判断する。
【００２１】
ＣＰＵ１８は、レリーズボタンの押下（全押し）操作信号を受けた場合や、リモコン装置１から撮影要求信号を受けた場合において、図３の各ブロックへ指示を送って撮影処理を開始させる。通信制御回路１９は、ＣＰＵ１８からの指示に応じて外部機器との間で無線通信を行うため、アンテナ１９ａを介して電波を送受信する。本実施形態では、通信制御回路１９がリモコン装置１との間で無線通信を行う。なお、無線ＬＡＮユニットがデジタルカメラ５１の筐体外部のアクセサリである場合、通信制御回路１９は無線ＬＡＮユニットに搭載されていてもよい。
【００２２】
＜フローチャートの説明＞
カメラ用リモート操作プログラムを実行するリモコン装置１の処理の流れについて、図４に例示するフローチャートを参照して説明する。図４において、左側のフローチャートがリモコン装置１の処理を説明するフローチャートである。右側のフローチャートは、リモコン装置１を介してリモコン操作されるデジタルカメラ５１が実行する処理の流れを説明するフローチャートである。
【００２３】
＜リモコン装置側の処理＞
図４のステップＳ３１０において、リモコン装置１は、デジタルカメラ５１とＰＴＰ接続を行ってステップＳ３２０へ進む。具体的には、デジタルカメラ５１に対応するＳＳＩＤ(Service Set Identifier)を選ぶ。これにより、リモコン装置１がデジタルカメラ５１との間でＰＴＰ接続を開始する。なお、デジタルカメラ５１のＳＳＩＤは、あらかじめ登録され、リモコン装置１内の不揮発性メモリに保存されている。
【００２４】
ステップＳ３２０において、リモコン装置１は、ＰＴＰ接続中のデジタルカメラ５１からライブビュー画像データを受信してステップＳ３３０へ進む。ステップＳ３３０において、リモコン装置１は、受信したライブビュー画像データに基づくライブビュー画像を表示・入力部２に表示させて（図２）ステップＳ３４０へ進む。
【００２５】
ステップＳ３４０において、リモコン装置１は、フォーカス変更操作が行われたか否かを判定する。ユーザーは、表示・入力部２に表示されているライブビュー画像のうち、フォーカス調節の対象にしたいエリアをタップ操作する。リモコン装置１は、表示・入力部２に対してタップ操作が行われた場合にステップＳ３４０を肯定判定してステップＳ３５０へ進み、表示・入力部２に対してタップ操作が行われない場合には、ステップＳ３４０を否定判定してステップＳ３７０へ進む。
【００２６】
ステップＳ３５０において、リモコン装置１は、タップ位置を含む所定範囲（すなわち、フォーカス調節の対象エリア）を示すマーク２７をライブビュー画像に重ねて表示させてステップＳ３６０へ進む。ステップＳ３６０において、リモコン装置１は、ＰＴＰ接続中のデジタルカメラ５１へフォーカス変更要求信号を送信してステップＳ３２０へ戻る。フォーカス変更要求は、フォーカス調節の対象エリアを示す情報を含む。ステップＳ３２０へ戻る場合は、デジタルカメラ５１からＡＦ動作中に送信されるライブビュー画像データを受信する。
【００２７】
ステップＳ３７０において、リモコン装置１は、レリーズアイコン２５がタップ操作されたか否かを判定する。リモコン装置１は、ＰＴＰ接続中のデジタルカメラ５１に対するレリーズ指示（すなわちタップ操作）が行われた場合に、ステップＳ３７０を肯定判定してステップＳ３８０へ進む。リモコン装置１は、ＰＴＰ接続中のデジタルカメラ５１に対するレリーズ指示が行われない場合には、ステップＳ３７０を否定判定してステップＳ３２０へ戻る。ステップＳ３２０へ戻る場合は、デジタルカメラ５１から送信されるライブビュー画像データを受信する。
【００２８】
ステップＳ３８０において、リモコン装置１は、ＰＴＰ接続中のデジタルカメラ５１へ撮影要求信号を送信する。リモコン装置１は、ＰＴＰ接続が解除されるまで、ステップＳ３２０へ戻って上記処理を繰り返す。
【００２９】
＜デジタルカメラ側の処理＞
図４のステップＳ１０において、デジタルカメラ５１（ＣＰＵ１８）は、ＰＴＰ接続中か否かを判定する。デジタルカメラ５１（ＣＰＵ１８）は、リモコン装置１との間でＰＴＰ接続中の場合はステップＳ１０を肯定判定してステップＳ２０へ進む。デジタルカメラ５１（ＣＰＵ１８）は、リモコン装置１との間でＰＴＰ接続中でない場合は、ステップＳ１０を否定して通常処理を行う。通常処理では、リモコン操作でなく、デジタルカメラ５１に備えられる操作部材２０の操作に応じて撮影を行う。
【００３０】
ステップＳ２０において、デジタルカメラ５１（ＣＰＵ１８）は、ライブビュー画像を取得してステップＳ３０へ進む。ステップＳ３０において、デジタルカメラ５１（ＣＰＵ１８）は、ライブビュー画像データを通信制御回路１９からリモコン装置１へ送信させてステップ４０へ進む。ステップＳ３０の画像送信では、初期設定として通常のデータサイズでライブビュー画像データを送信する。送信するデータサイズについては後述する。
【００３１】
ステップＳ４０において、デジタルカメラ５１（ＣＰＵ１８）は、フォーカス変更要求を受けたか否かを判定する。デジタルカメラ５１（ＣＰＵ１８）は、リモコン装置１からフォーカス変更要求を受けるとステップＳ４０を肯定判定してステップＳ５０へ進み、リモコン装置１からフォーカス変更要求を受けない場合にはステップＳ４０を否定判定してステップＳ１１０へ進む。
【００３２】
ステップＳ５０において、デジタルカメラ５１（ＣＰＵ１８）は、ＡＦ動作を開始させてステップＳ６０へ進む。ＡＦ動作は、バックグラウンド処理として図４の処理と並行して行うように構成されている。ステップＳ６０において、デジタルカメラ５１（ＣＰＵ１８）は、デフォーカス状態か否かを判定する。デジタルカメラ５１（ＣＰＵ１８）は、フォーカスのずれが所定の判定閾値を超えている場合に、ステップＳ６０を肯定判定してステップＳ７０へ進む。デジタルカメラ５１（ＣＰＵ１８）は、フォーカスのずれが所定の判定閾値以下である場合（非デフォーカス状態）には、ステップＳ６０を否定判定してステップＳ８０へ進む。ステップＳ６０を否定判定するのは、マーク２７（図２）で示されるフォーカス調節の対象に概ね合焦している場合である。すなわち、上記判定閾値は、ＡＦ動作においてＡＦ動作終了を判断する合焦判定閾値より大きくするとよい。
【００３３】
ステップＳ８０において、デジタルカメラ５１（ＣＰＵ１８）は、リモコン装置１へ送信するライブビュー画像のデータサイズを通常サイズにする設定をしてステップＳ２０へ戻る。通常のサイズとは、初期設定で定められているデータサイズをいう。一般に、撮像素子１２の画素数に比べてＬＣＤモニタ１５の表示画素数が少ない。このため、ＣＰＵ１８は、ＬＣＤモニタ１５で表示されない画素のデータを間引くなどして、撮像素子１２の全画素からデータを読出す場合に比べてデータ数を少なくするリサイズ処理を施すことにより、通常サイズのライブビュー画像データを生成する設定を行う。
【００３４】
ステップＳ７０において、デジタルカメラ５１（ＣＰＵ１８）は、リモコン装置１へ送信するライブビュー画像のデータサイズを通常のサイズよりさらに小さいサイズへ変更する設定をしてステップＳ９０へ進む。ＣＰＵ１８は、上記通常のサイズのライブビュー画像データに比べてさらにデータを間引くなどして、データ数をさらに少なくするリサイズ処理を施すことにより、通常サイズよりさらに小さいサイズのライブビュー画像データを生成する設定を行う。なお、ステップＳ７０において行うリサイズ処理は、画像データに基づく画像の画面全体で一様にデータ数を抑える（画像を粗くする）処理である。
【００３５】
ステップＳ９０において、デジタルカメラ５１（ＣＰＵ１８）は、ライブビュー画像を取得してステップＳ１００へ進む。ステップＳ１００において、デジタルカメラ５１（ＣＰＵ１８）は、ライブビュー画像データを通信制御回路１９からリモコン装置１へ送信させてステップ６０へ戻る。ステップＳ１００では、通常サイズより小さいサイズのライブビュー画像データを送信する。これにより、画像送信に要する時間がステップＳ３０の画像送信に要する時間より短くなる。
【００３６】
図５は、デジタルカメラ５１とリモコン装置１との間の通信状態を例示する図である。デジタルカメラ５１は、取得画像に対するリサイズ処理およびエンコード処理（例えばJPEG画像に圧縮）を行ってライブビュー画像データを生成し、リモコン装置１へ送信する。デジタルカメラ５１は、リモコン装置１へライブビュー画像データを送信すると、リモコン装置１から次フレームのライブビュー画像の要求を受ける。
【００３７】
一方、リモコン装置１は、デジタルカメラ５１からライブビュー画像データを受信すると、デコード処理（伸張処理）およびリサイズ処理（デジタルカメラ５１から送信された画像のデータサイズをリモコン装置１の表示・入力部２の表示画素数に合わせる）を行ってライブビュー画像を表示・入力部２に表示させる。リモコン装置１は、デジタルカメラ５１からライブビュー画像データを受信すると、デジタルカメラ５１へ次フレームのライブビュー画像を要求する。
【００３８】
リモコン装置１は、表示・入力部２に表示されているライブビュー画像のうち、フォーカス調節の対象にしたい位置がタップ操作されると、デジタルカメラ５１へフォーカス変更要求を送信する。フォーカス変更要求を受けたデジタルカメラ５１（ＣＰＵ１８）はＡＦ動作を開始させる。
【００３９】
ライブビュー画像データの送信に要する時間は、送信されるデータサイズの大小によって変化する。上述したように、デフォーカス状態におけるデータサイズを非デフォーカス状態におけるデータサイズ（通常サイズ）より小さく変更するので、デフォーカス状態におけるライブビュー画像データの送信時間が、非デフォーカス状態におけるライブビュー画像データの送信時間より短い。これにより、リモコン装置１の表示・入力部２に表示されるライブビュー画像は、デフォーカス状態におけるライブビュー画像のフレームレートＡが、非デフォーカス状態におけるライブビュー画像のフレームレートＢより高くなる。
【００４０】
図４のステップＳ１１０において、デジタルカメラ５１（ＣＰＵ１８）は、撮影要求を受けたか否かを判定する。デジタルカメラ５１（ＣＰＵ１８）は、リモコン装置１から撮影要求を受けるとステップＳ１１０を肯定判定してステップＳ１２０へ進み、リモコン装置１から撮影要求を受けない場合にはステップＳ１１０を否定判定してステップＳ１０へ戻る。ステップＳ１２０において、デジタルカメラ５１（ＣＰＵ１８）は、撮影処理を行ってステップＳ１０へ戻る。ステップＳ１０へ戻る場合は、上述した処理を繰り返す。
【００４１】
以上説明した第一の実施形態によれば、次の作用効果が得られる。
（１）デジタルカメラ５１は、被写体像を撮像し、画像データを出力する撮像素子１２と、撮像素子１２から出力された画像データを、リモコン装置１と通信する通信制御回路１９から送信させるＣＰＵ１８と、通信制御回路１９から送信される画像データのデータ量を変更するＣＰＵ１８と、を備え、カメラの状態に応じて送信される画像データのデータ量を変更する。これにより、デジタルカメラ５１とリモコン装置１間の画像データ通信を適切に制御できる。例えば、データ量（すなわち画像の解像度）を優先させたい場合や、画像データの送信間隔（すなわちフレームレート）を優先させたい場合に対し、適切に対応し得る。
【００４２】
（２）撮像光学系１１がデフォーカス状態か否かを判定するＣＰＵ１８を備え、ＣＰＵ１８は、デフォーカス状態が判定されている場合の画像のデータ量を、非デフォーカス状態の場合の画像のデータ量より少なくするようにした。これにより、リモコン装置１の表示・入力部２に表示されるライブビュー画像は、デフォーカス状態におけるフレームレートＡが非デフォーカス状態におけるフレームレートＢより高くなって、画像の更新間隔が狭まる。一般に、ピントがずれている画像は、早く次フレームの画像に更新されることが望まれるため、ユーザーにとって好都合なデジタルカメラ５１が得られる。
【００４３】
（３）ＣＰＵ１８は、画像のデータ量を画面において一様に変更したので、例えば領域ごとに異なる変更をする場合に比べて、処理を簡単にすることができる。
【００４４】
（変形例１）
上述した実施形態では、高機能携帯電話機を例にリモコン装置１を説明したが、タブレット端末を用いてリモコン装置１を構成してもよい。
【００４５】
（変形例２）
上述したデジタルカメラ５１（ＣＰＵ１８）は、リモコン装置１におけるタップ位置に対応する所定範囲をフォーカス調節の対象エリアとしたが、ライブビュー画像から検出した「顔」の領域をフォーカス調節の対象としてもよい。デジタルカメラ５１（ＣＰＵ１８）は、ライブビュー画像に対して公知の「顔」検出処理を行ってフォーカス調節の対象エリアを決定する。デジタルカメラ５１（ＣＰＵ１８）は、リモコン装置１へライブビュー画像データを送信する際に、フォーカス調節の対象エリアを示す情報も送る。リモコン装置１は、図６に例示するように、デジタルカメラ５１から受信したライブビュー画像データに重ねて、フォーカス調節の対象エリアを示すマーク２７を表示する。
【００４６】
（変形例３）
ＡＦ動作中において、デジタルカメラ５１からリモコン装置１０へ送信するライブビュー画像データの数を減らして、ＣＰＵ１８にＡＦ動作を優先的に行わせるようにしてもよい。デジタルカメラ５１（ＣＰＵ１８）は、デフォーカス状態において、デジタルカメラ５１からリモコン装置１０へ送信するライブビュー画像データの数を、例えば３フレームにつき１回に削減する。
【００４７】
変形例３によれば、リモコン装置１の表示・入力部２に表示されるライブビュー画像の更新レートは遅くなるものの、ライブビュー画像データを送信するためにＣＰＵ１８が行っているリサイズ処理、エンコード処理、および送信処理の負担が軽減するので、ＣＰＵ１８によるＡＦ動作を早めることができる。なお、デフォーカス状態を脱するまで、デジタルカメラ５１からリモコン装置１０へ新たなライブビュー画像データを送信しないようにしてもよい。
【００４８】
（第二の実施形態）
第一の実施形態では、デフォーカス状態か否かに応じてデジタルカメラ５１からリモコン装置１へ送信するライブビュー画像のデータサイズを変化させるようにした。第二の実施形態では、デジタルカメラ５１が静止状態か否かに応じて、デジタルカメラ５１からリモコン装置１へ送信するライブビュー画像のデータサイズを変化させる。
【００４９】
第二の実施形態において、デジタルカメラ５１は、例えばヘルメットに取り付けられる。ヘルメットをかぶるユーザーは、デジタルカメラ５１のＬＣＤモニタ１５を直接観察できない。そこで、ユーザーは、リモコン装置１の表示・入力部２に表示されるライブビュー画像を観察する。
【００５０】
上記ヘルメットをかぶったユーザーは、頭部を動かすことによって構図決めを行う。このため、構図決め中においてはデジタルカメラ５１が揺動して非静止状態となる。ＣＰＵ１８は、非静止状態におけるライブビュー画像データの送信時間が、静止状態におけるライブビュー画像データの送信時間より短くなるように、非静止状態におけるデータサイズを非静止状態におけるデータサイズ（通常サイズ）より小さく変更する。
【００５１】
第二の実施形態において、デジタルカメラ５１（ＣＰＵ１８）は、図４のフローチャートに代えて、図７のフローチャートによる処理を行う。図７のフローチャートは、図４のフローチャートと比べてステップＳ２０からＳ５０が省略される点と、ステップＳ６０の代わりにステップＳ６０Ｂを実行する点とが異なるので、これらの相違点を中心に説明する。
【００５２】
図７のステップＳ６０Ｂにおいて、デジタルカメラ５１（ＣＰＵ１８）は、非静止状態か否かを判定する。デジタルカメラ５１（ＣＰＵ１８）は、加速度センサ２１による加速度検出信号に基づいてデジタルカメラ５１が静止していないと判断した場合に、ステップＳ６０Ｂを肯定判定してステップＳ７０へ進む。デジタルカメラ５１（ＣＰＵ１８）は、デジタルカメラ５１が静止していると判断した場合には、ステップＳ６０Ｂを否定判定してステップＳ８０へ進む。また、ステップＳ１１０を否定判定した場合、デジタルカメラ５１（ＣＰＵ１８）はステップＳ６０Ｂへ戻る。
【００５３】
第二の実施形態によれば、デジタルカメラ５１の揺動の有無を検出する加速度センサ２１を備え、ＣＰＵ１８は、揺動が検出されている場合の画像のデータ量を、揺動が検出されていない場合の画像のデータ量より少なくするようにしたので、リモコン装置１の表示・入力部２に表示されるライブビュー画像は、揺動状態におけるフレームレートＡが静止状態におけるフレームレートＢより高くなって、画像の更新間隔が狭まる。一般に、構図決め途中は、早く次フレームの画像に更新されることが望まれるため、ユーザーにとって好都合なデジタルカメラ５１が得られる。
【００５４】
（変形例４）
デジタルカメラ５１に設定されたシャッター速度が所定速度より高速か否かに応じて、デジタルカメラ５１からリモコン装置１へ送信するライブビュー画像のデータサイズを変化させてもよい。
【００５５】
変形例４において、デジタルカメラ５１（ＣＰＵ１８）は、図７のステップＳ６０Ｂの代わりに以下の処理を行う。すなわち、ステップＳ６０Ｃにおいてデジタルカメラ５１（ＣＰＵ１８）は、ユーザー操作によって設定されたシャッター速度が所定値より高速か否かを判定する。ＣＰＵ１８は、例えば１／２５０秒より高速の場合に、ステップＳ６０Ｃを肯定判定してステップＳ７０へ進む。デジタルカメラ５１（ＣＰＵ１８）は、ユーザー操作によって設定されたシャッター速度が１／２５０秒より低速の場合には、ステップＳ６０Ｃを否定判定してステップＳ８０へ進む。また、ステップＳ１１０を否定判定した場合のデジタルカメラ５１（ＣＰＵ１８）は、ステップＳ６０Ｃへ戻る。
【００５６】
変形例４によれば、ユーザー操作によってシャッター速度が所定値より高速に設定された状態におけるライブビュー画像のフレームレートＡが、上記所定値より低速のシャッター速度に設定された状態におけるライブビュー画像のフレームレートＢより高くなる。一般に、被写体に動きがある場合は、早く次フレームの画像に更新されることが望まれるため、ユーザーにとって好都合なデジタルカメラ５１が得られる。
【００５７】
また、ユーザー操作によってシャッター速度が所定値より高速に設定された場合の他にも、例えば、ライブビュー画像のフレーム間における主要被写体の移動量を検出し、検出した移動量が所定値を超える場合において、デジタルカメラ５１からリモコン装置１へ送信するライブビュー画像のデータサイズを変化させてもよい。被写体に動きがある場合において、早く次フレームの画像に更新させることが可能となる。
【００５８】
ＣＰＵ１８は、上記通常のサイズのライブビュー画像に比べてさらにデータを間引くなどして、データ数をさらに少なくするリサイズ処理を施すことにより、通常サイズよりさらに小さいサイズのライブビュー画像データを生成する設定を行う。
【００５９】
以上の説明では、画像データに基づく画像の画面全体で一様にデータ数を抑える手法として、通常のサイズのライブビュー画像に比べてさらにデータを間引くことによって、通常サイズよりさらに小さいデータサイズのライブビュー画像を生成する例を説明した。データ間引きの代わりに、例えば画像圧縮処理における圧縮率を高めることによって、通常サイズよりさらに小さいデータサイズのライブビュー画像を生成するようにしてもよい。
【００６０】
（第三の実施形態）
第一実施形態および第二実施形態では、ステップＳ７０において、デジタルカメラ５１（ＣＰＵ１８）が画像データに基づく画像の画面全体で一様にデータ数を抑える（画像を粗くする）ようにリサイズ処理の設定を行う例を説明した。これに対して第三の実施形態では、画面の中の領域間で画像の粗さが異なるように、例えば主要被写体と背景とで異なるリサイズ処理の設定を行う。
【００６１】
第三の実施形態において、デジタルカメラ５１（ＣＰＵ１８）は、通常のサイズのライブビュー画像のうち、フォーカス調節の対象とするエリア内に相当する部分を主要被写体領域とし、主要被写体領域以外を背景領域とする。デジタルカメラ５１（ＣＰＵ１８）は、例えば、ライブビュー画像から検出した「顔」の領域を主要被写体領域とする。
【００６２】
デジタルカメラ５１（ＣＰＵ１８）は、リモコン装置１へ送信するライブビュー画像のデータサイズを通常のサイズよりさらに小さいサイズへ変更するために、図７のステップＳ７０の代わりに以下の処理を行う。すなわち、ステップＳ７０Ｂにおいてデジタルカメラ５１（ＣＰＵ１８）は、先ず、通常サイズのライブビュー画像から図８(a)に示す主要被写体領域の画像を切り出す。デジタルカメラ５１（ＣＰＵ１８）はさらに、上記通常サイズのライブビュー画像を縦横それぞれ１／４に間引くなどして、データ数を略１／１６に減少させるリサイズ処理を施すことにより、通常サイズの１／１６の縮小画像データを生成する（図８(b)）。そして、デジタルカメラ５１（ＣＰＵ１８）は、図８(a)に示す主要被写体領域の画像データと、図８(b)に示す縮小画像データとを２回に分けてリモコン装置１へ送信する。
【００６３】
図８(a)に示す画像のデータと図８(b)に示す画像のデータとを足し合わせても、図６に例示する通常サイズのライブビュー画像のデータ数より小さいものとなる。リモコン装置１は、２回に分けて送信される図８(a)に示す主要被写体領域の画像データと、図８(b)に示す縮小画像データとを合成して画像データに基づく画像表示・入力部２に表示させる。具体的には、図８(b)に示す縮小画像を表示・入力部２の表示解像度に合わせるリサイズ処理を行い、リサイズ処理後の画像における主要被写体の領域を、図８(a)に示す主要被写体領域の画像で置換する。
【００６４】
上述したように、ライブビュー画像データの送信に要する時間は、送信されるデータサイズの大小によって変化する。また、上述したように、図８(a)に示す画像データ（通常サイズのライブビュー画像の一部を切り出した画像データ）と図８(b)に示す画像データ（通常サイズのライブビュー画像の全部を縮小した画像データ）とを足し合わせても、送信されるデータ数が通常サイズのライブビュー画像のデータ数より小さいことから、デフォーカス状態におけるライブビュー画像データの送信時間が、非デフォーカス状態におけるライブビュー画像の送信時間より短い。これにより、デフォーカス状態におけるライブビュー画像のフレームレートＡは、非デフォーカス状態におけるライブビュー画像のフレームレートＢより高くなる。
【００６５】
以上説明した第三の実施形態によれば、とくに、次の作用効果が得られる。すなわち、デジタルカメラ５１のＣＰＵ１８は、画像の「顔」領域を切り出した主要被写体領域の画像（図８(a）)と、画像の全部を縮小した縮小画像（図８(b)）とに分けることにより、送信する画像のデータ量を変更するようにした。これにより、主要被写体領域については画像を粗くすることなく、全体として送信する画像のデータ量を変更できる。
【００６６】
（変形例５）
第三の実施形態においては、デジタルカメラ５１（ＣＰＵ１８）からリモコン装置１へ、図８(a)に示す主要被写体領域の画像データと、図８(b)に示す縮小画像データとを２回に分けて送信し、リモコン装置１側で２つの画像データを合成して表示・入力部２に表示するようにした。この代わりに、デジタルカメラ５１（ＣＰＵ１８）側で、ライブビュー画像の中の領域間で画像の粗さが異なる画像データを生成し、この生成画像データをデジタルカメラ５１（ＣＰＵ１８）からリモコン装置１へ送信するようにしてもよい。
【００６７】
例えば、主要被写体領域と背景領域との間で量子化スケールを異ならせることによって主要被写体領域に比べて背景領域の精細度を低く（すなわち粗く）して、通常サイズのライブビュー画像のデータ数より少ないデータ数のライブビュー画像データを生成する。変形例５の場合は、リモコン装置１側で２つの画像を合成する必要はなく、リモコン装置１は、受信したライブビュー画像データに基づく画像を表示・入力部２に表示する。
【００６８】
以上の説明はあくまで一例であり、上記の実施形態の構成に何ら限定されるものではない。各実施形態および変形例は、適宜組み合わせても構わない。
【符号の説明】
【００６９】
１…リモコン装置
２…表示・入力部
１１…撮像光学系
１２…撮像素子
１５…ＬＣＤモニタ
１８…ＣＰＵ
１９…通信制御回路
２０…操作部材
２１…加速度センサ
２７…マーク
５１…デジタルカメラ
【図１】
2015106851.tif 000003
【図２】
2015106851.tif 000004
【図３】
2015106851.tif 000005
【図４】
2015106851.tif 000006
【図５】
2015106851.tif 000007
【図６】
2015106851.tif 000008
【図７】
2015106851.tif 000009
【図８】
2015106851.tif 000010